(57)【要約】      （修正有）【課題】高信頼性且つ低コストの水槽用フロート式緊急遮水システムを提供する。【解決手段】フロート式緊急遮水システムは、水槽内部に設置する中空フロート９、これと連動する弁蓋５、水槽外部に設置する制御システムから構成される。中空フロート９は、制御弁１８の開閉（水の出し入れ）により比重が変化するので、上下移動し、これにと連動して弁蓋５は、流出管２を遮断したり開放したりする。流出管２を直接に遮断しないから、制御弁１８の口径が小さく、制御システムに対する１日１回程度の自動点検が可能となった。【選択図】図１
0003127723.tif 000002
【実用新案登録請求の範囲】
【請求項１】
緊急事態が発生時に水槽の貯水を確保する為の緊急遮断装置において、主要部品として水槽内部に設置するフロート、フロートと連動する弁蓋、水槽外部に設置する制御システム（センサー・制御盤・制御弁）から構成するフロート式緊急遮水システム。
【請求項２】
請求項１に記載の緊急遮断装置において、フロートはその形状が中空で、その比重が制御弁の開閉により調整できることを特徴とするフロート式緊急遮水システム。
【請求項３】
請求項２に記載の緊急遮断装置において、制御システムの日常点検の為の制御弁の開閉は流出管からの流出に影響を与えることなく可能であることを特徴とするフロート式緊急遮水システム。
【考案の詳細な説明】
【技術分野】
【０００１】
本考案は、地震等の災害時における貯水槽の貯水確保の為のフロート式緊急遮水システムに関する。
【背景技術】
【０００２】
従来、配水池や受水槽等の様な貯水槽の貯水確保の為、図３に示すように、貯水槽１の外部の流出管２の途中に常時開状態の緊急遮断弁２０を設置し、図示しない地震センサーまたは流量センサーが設定値以上の値を感知すると、制御盤２４から緊急遮断弁２０へ閉の指令を送り、緊急遮断弁２０が閉まって流出管路２からの流出が遮断され、貯槽の貯水が確保される。
【０００３】
しかし、上記の従来技術には、下記のデメリットがある。
【０００４】
流出管２の口径増大につれて、緊急遮断弁２０、制御盤２４、図示しない非常時バックアップ電源が大型化になり、更に、補修弁（常時開）２１、バイパス管２３、弁室２５の設置が必要となるので、システム全体は、高額になりがちである。
【０００５】
また、地震等の災害時におけるシステムの確実な作動を確保する為、日常の点検作業が不可欠である。この点検作業はバイパス管を利用して手動で行い非常に面倒である。更に、点検の時間間隔が長くなると、システムを構成する部品の故障率が増加し制御システムの信頼性が落ちる恐れがある。
【考案の開示】
【考案が解決しようとする課題】
【０００６】
近々２０〜３０年間には東南海大地震がかなり高い確率で起きる状況に直面しているのにもかかわらず、ライフラインの配水池への緊急遮断弁の採用が依然として少ない。
【０００７】
その理由の一つとして、前述のデメリットが挙げられる。
【０００８】
よって、緊急遮水システムにおいて、システム全体の低コスト化と制御システムの信頼性の向上は至急な課題である。
【課題を解決するための手段】
【０００９】
上記問題を解決する為、請求項１に記載の考案は、図１と図２に示すように、緊急事態が発生時に水槽１の貯水を確保する為の緊急遮断装置において、主要部品として水槽内部に設置するフロート９、フロート９と連動する弁蓋５、水槽外部に設置する制御システム（図示しないセンサー・制御盤１８・制御弁１９）から構成するフロート式緊急遮水システムを用いることを要旨とする。
【００１０】
請求項２に記載の考案は、図１と図２に示すように、請求項１に記載の緊急遮断装置において、フロート９はその形状が中空で、その比重が制御弁の開閉により調整できることを特徴とするフロート式緊急遮水システムを用いることを要旨とする。
【００１１】
請求項３に記載の考案は、図１と図２に示すように、請求項２に記載の緊急遮断装置において、制御システムの日常点検の為の制御弁１８の開閉は、流出管２からの流出に影響を与えることなく可能であることを特徴とするフロート式緊急遮水システムを用いることを要旨とする。
【考案の効果】
【００１２】
本考案のフロート式緊急遮水システムは、その遮断弁が水槽内部に設置し弁室が不要で、更に制御弁１８の口径が小さくて関連部品のも小型になり、安価である。
【００１３】
本考案のフロート式緊急遮水システムは、制御システムの点検について１日１回程度の短い時間スパンで自動的に行われているので、信頼性が高く緊急事態の発生時、制御システムが確実に作動する。
【００１４】
安価と高信頼性を特徴とする本考案の製品化により、ライフラインの配水池への緊急遮水機能の採用が容易になると大いに期待できる。
【考案を実施するための最良の形態】
【００１５】
図１に考案を実施するための最良の実施形態を示す。
【００１６】
水槽内に設置する遮断弁部分を、連結フランジ４を用いて流出管３の端部フランジ３に連結する。
【００１７】
連結バー７を用いて中空フロート９を弁蓋５に連結する。
【００１８】
中空フロート９は、水の比重より大きい材質を用いて製作する。
【００１９】
フロート９の水排出管１０について、その片端部をフロート内部の下部位置に開放し、反対側の端部をホース１２、配管１７を通して水槽外部の大気に開放する。
【００２０】
配管１７の途中に制御弁１８を設置する。
【００２１】
制御弁１８を制御盤１９に連結する。
【００２２】
フロート９の空気排出管１１について、その片端部をフロート内部の上部位置に開放し、反対側の端部をホース１３、配管１６を通して満水位線の直下位置に開放する。
【００２３】
フロート９の降下は、ストッパー８と降下制限プレート１５により一定範囲に制限する。
【実施例１】
【００２４】
本考案の実施例１は図１に示す。
【００２５】
以下では、本考案の実施例１について、緊急事態発生時の動作と緊急事態完了後の復帰及び、日常の自動点検に分けて図１と図２を用いて説明する。
【００２６】
通常時、フロート９の内部を満水状態にし、制御弁１８を閉状態にしておく。
【００２７】
この場合、中空フロート９は、その比重が水より重いので下方に沈み、これと連動して弁蓋５は流出管２の流出口から離れていき、水槽の貯水は流出管２に沿って流出する。
【００２８】
地震等の非常事態が発生した場合、図示しない地震センサーまたは流量センサーがその情報を感知すると、制御盤１９から制御弁１８へ開の指令を送り制御弁１８が開かれる。
【００２９】
この場合、水槽の実際水位が配管１６の上端部以下に位置すれば即時であるが、そうではなければ、実際水位が配管１６の上端部以下になるまで水槽の貯水が流出管２から流出した後、中空フロート９の内部の水は、水排出管１０、ホース１２、配管１７、制御弁１８を経由して流出する。
【００３０】
中空フロート９は、内部の水が無くなり比重が水より小さくなったので上方に浮上し、これと連動して弁蓋は流出管２を塞いで流出管２が遮断され水槽の貯水が確保される。
【００３１】
図２に流出管２が遮断された状態の中空フロート９と弁蓋５の位置を示す。
【００３２】
次に非常事態が終了し通水したい場合のフロート式緊急遮水システムの復帰について説明する。
【００３３】
まず、流出管２の仕切弁２２を閉め、制御弁１８を開き、水槽１を満水にする。
【００３４】
水槽の貯水は、配管１６、ホース１３、空気排出管１１を経由して中空フロート９の内部に流入する。
【００３５】
中空フロート９は、内部が満水になれば比重が水より大きくなるので下方に沈み、これと連動して弁蓋５は流出管から離れていき、復帰は完了である。
【００３６】
次に制御システムの１日１回程度の自動点検方法について説明する。
【００３７】
水槽の使用時の実際水位は、上下変動するが通常1日１回満水位線になるのが一般的である。
【００３８】
図示しない水位センサーは、実際水位が満水位線になったことを感知すると、制御盤１９から、制御弁１８へ開の指令を送り、制御弁１８が開いたことを確認した後、更に制御弁１８へ閉の指令を送り、制御弁１８を閉める。
【００３９】
上記の制御弁１８の開閉を行った場合、水槽が満水状態で、配管１６が完全に水没されるので、中空フロートは、制御弁１８を経由して流出した水量だけがすぐに補給されて、比重の変化がなければ、弁蓋の上下移動もない。即ち、流出管２からの流出を妨げることなく、制御弁１８の開閉が可能となった。
【００４０】
図示しないが、この制御弁１８の開閉と関わる制御システム作動状況は、同時に中央監視室にフィードバックされ、異常があれば警報で知らせる。
したがって、本考案のフロート式緊急遮水システムにおいて、制御システムの点検は、満水回数だけに自動的に行われることが可能である。  
【図面の簡単な説明】
【００４１】
【図１】本考案の実施例１の概略図（流出管未遮断状態）
【図２】本発明の実施例１の概略図（流出管遮断状態）
【図３】従来技術の実施形態の概要図
【符号の説明】
【００４２】
１      水槽本体
２      流出管
３      流出管の連結用フランジ
４      遮断弁の連結用フランジ
５      弁蓋
６      回転可能のジョイント
７      連結バー
８      ストッパー
９      中空フロート
１０    水排出口
１１    空気排出口
１２    水排出口の端部ホース
１３    空気排出口の端部ホース
１４    継ぎ手を格納する固定用プレート
１５    中空フロートの降下制限プレート
１６    配管
１７    配管
１８    制御弁
１９    フロート式緊急遮水システムの小型制御盤
２０    従来技術の緊急遮断弁
２１    補修弁
２２    仕切弁
２３    バイパス管
２４    従来技術の制御盤
２５    弁室
【図１】
0003127723.tif 000003
【図２】
0003127723.tif 000004
【図３】
0003127723.tif 000005
【手続補正書】
【提出日】平成18年9月29日(2006.9.29)
【手続補正１】
【補正対象書類名】実用新案登録請求の範囲
【補正対象項目名】全文
【補正方法】変更
【補正の内容】
【実用新案登録請求の範囲】
【請求項１】
地震等の緊急事態が発生時に水槽の貯水を確保する為の緊急遮断装置において、水槽内部に設置する中空のフロート、フロートと連動する弁蓋を備え、常時は、フロート内部に水を充填しフロートを下方位置に配置して弁蓋を開放し、地震等の緊急時は、水槽外部に設置する地震センサーまたは流量センサーが感知し、制御盤を介在してフロートと連通する配管端部に設置する電動弁を開けフロート内部の水を排出してフロートを浮上させ、弁蓋を閉じるようにしたことを特徴とするフロート式緊急遮水システム。
【請求項２】
地震等の緊急事態が発生時に水槽の貯水を確保する為の緊急遮断装置において、水槽内部に設置する中空のフロート、フロートと連動する弁蓋を備え、常時は、フロート内部に空気を充填しフロートを上方位置に浮上させて弁蓋を開放し、地震等の緊急時は、水槽外部に設置する地震センサーまたは流量センサーが感知し、制御盤を介在してフロートと水槽を連通させる配管途中に設置する電動弁を開けフロート内部に水槽の水を流入させフロートを沈め、弁蓋を閉じるようにしたことを特徴とするフロート式緊急遮水システム。
【手続補正２】
【補正対象書類名】明細書
【補正対象項目名】全文
【補正方法】変更
【補正の内容】
【考案の詳細な説明】
【技術分野】
【０００１】
本考案は、地震等の緊急時における貯水槽の貯水確保の為のフロート式緊急遮水システムに関する。
【背景技術】
【０００２】
従来、配水池や受水槽等の様な貯水槽の貯水確保の為、図５に示すように、貯水槽１の外部の流出管２の途中に常時開状態の緊急遮断弁２０を設置し、図示しない地震センサーまたは流量センサーが設定値以上の値を感知すると、制御盤２４から緊急遮断弁２０へ閉の指令を送り、緊急遮断弁２０を閉じて貯槽の貯水を確保する。
【０００３】
しかし、上記の従来技術には、下記のデメリットがある。
【０００４】
流出管２の口径増大につれて、緊急遮断弁２０、制御盤２４、図示しない緊急時バックアップ電源が大型化になり、更に、補修弁（常時開）２１、バイパス管２３、弁室２５の設置が必要となるので、システム全体は、高額になりがちである。
【０００５】
また、地震等の緊急時におけるシステムの確実な作動を確保する為、日常の点検作業が不可欠である。この点検作業はバイパス管を利用して手動で行い非常に面倒である。更に、点検の時間間隔が長くなると、システムを構成する部品の故障率が増加しシステムの信頼性が落ちる恐れがある。
【考案の開示】
【考案が解決しようとする課題】
【０００６】
近々２０〜３０年間には東南海大地震がかなり高い確率で起きる状況に直面しているのにもかかわらず、ライフラインの配水池への緊急遮断弁の採用が依然として少ない。
【０００７】
その理由の一つとして、前述のデメリットが挙げられる。
【０００８】
よって、緊急遮水システムにおいて、システム全体の低コスト化とシステムの信頼性の向上は至急な課題である。
【課題を解決するための手段】
【０００９】
上記問題を解決する為、請求項１に記載の考案は、図１と図２に示すように、地震等の緊急事態が発生時に水槽１の貯水を確保する為の緊急遮断装置において、水槽１内部に設置する中空のフロート９、フロートと連動する弁蓋５を備え、常時は、フロート内部に水を充填しフロート９を下方位置に配置して弁蓋５を開放し、地震等の緊急時は、水槽１外部に設置する図示しない地震センサーまたは流量センサーが感知し制御盤１９を介在してフロート９と連通する配管１７端部に設置する電動弁１８を開けフロート９内部の水を排出してフロート９を浮上させ、弁蓋５を閉じるようにしたことを特徴とするフロート式緊急遮水システムを用いることを要旨とする。
【００１０】
請求項２に記載の考案は、図３と図４に示すように、地震等の緊急事態が発生時に水槽１の貯水を確保する為の緊急遮断装置において、水槽１内部に設置する中空のフロート９、フロートと連動する弁蓋５を備え、常時は、ロート９内部に空気を充填しフロート９を上方位置に浮上させて弁蓋５を開放し、地震等の緊急時は、水槽１外部に設置する図示しない地震センサーまたは流量センサーが感知し、制御盤１９を介在してフロート９と水槽１を連通する配管１７途中に設置する電動弁１８を開けフロート９内部に水槽１の貯水を流入させフロート９を沈め、弁蓋５を閉じるようにしたことを特徴とするフロート式緊急遮水システムを用いることを要旨とする。
【考案の効果】
【００１１】
本考案のフロート式緊急遮水システムは、遮断弁部分が水槽内部に設置し弁室が不要で、更に電動弁１８の口径が小さくて関連部品のも小型になり、安価である。
【００１２】
本考案のフロート式緊急遮水システムは、制御システムの点検について１日１回程度の短い時間スパンで自動的に行われているので、信頼性が高く緊急事態の発生時、システムが確実に作動する。
【００１３】
安価と高信頼性を特徴とする本考案の製品化により、ライフラインの配水池への緊急遮水機能の採用が容易になると大いに期待できる。
【考案を実施するための最良の形態】
【００１４】
図１と図２に考案を実施するための最良の実施形態を示す。
【００１５】
水槽内部に設置する遮断弁部分を、連結フランジ４を用いて流出管２の端部フランジ３に連結する。
【００１６】
連結バー７を用いて中空フロート９を弁蓋５に連結する。
【００１７】
中空フロート９は、内部に水が入った場合その比重が水より大きくなり、内部に空気が入った場合その比重が水より小さくなるように製作される。
【００１８】
フロート９の水排出管１０について、その片端部をフロート内部の下部位置に開放し、反対側の端部をホース１２、配管１７を通して水槽外部の低い位置に開放する。
【００１９】
配管１７の端部に電動弁１８を設置する。
【００２０】
電動弁１８を制御盤１９に連結する。
【００２１】
フロート９の空気排出管１１について、その片端部をフロート内部の上部位置に開放し、反対側の端部をホース１３、配管１６を通して満水位線の直下位置に開放する。
【００２２】
フロート９の降下は、ストッパー８と降下制限プレート１５により一定範囲に制限する。
【実施例１】
【００２３】
本考案の実施例１は、図１と図２に示すように、考案を実施するための最良の形態である。
【００２４】
以下では、本考案の実施例１について、緊急事態発生時の動作と緊急事態完了後の復帰に分けて図１と図２を用いて説明する。
【００２５】
通常時、フロート９の内部に水を充填し、電動弁１８を閉状態にしておく。
【００２６】
この場合、中空フロート９は、その比重が水より重いので下方に沈み、これと連動して弁蓋５は流出管２の流出口から離れていき、水槽の貯水は流出管２に沿って流出する。
【００２７】
地震等の緊急事態が発生した場合、図示しない地震センサーまたは流量センサーが設定値以上の値を感知すると、制御盤１９から電動弁１８へ開の指令を送り電動弁１８を開ける。
【００２８】
この場合、水槽の実際水位が配管１６の上端部以下に位置すれば即時であるが、そうではなければ、実際水位が配管１６の上端部以下になるまで水槽の貯水が流出管２から流出した後、中空フロート９の内部の水は、水排出管１０、ホース１２、配管１７、電動弁１８を経由して流出する。
【００２９】
中空フロート９は、内部の水が無くなり比重が水より小さくなったので上方に浮上し、これと連動して弁蓋は流出管２の流出口を塞いで水槽の貯水が確保される。
【００３０】
図２に流出管２が遮断された状態の中空フロート９と弁蓋５の位置を示す。
【００３１】
次に緊急事態が終了し通水したい場合のフロート式緊急遮水システムの復帰について説明する。
【００３２】
まず、流出管２の仕切弁２２を閉め、電動弁１８を開き、水槽１を満水にする。
【００３３】
水槽の貯水は、配管１６、ホース１３、空気排出管１１を経由して中空フロート９の内部に流入する。
【００３４】
中空フロート９は、内部が満水になれば比重が水より大きくなるので下方に沈み、これと連動して弁蓋５は流出管２から離れていき、通常の通水が可能となる。
【００３５】
電動弁１８を閉じれば、復帰作業が完了となる。
【実施例２】
【００３６】
本考案の実施例２は図３と図４に示す。
【００３７】
以下では、本考案の実施例２について、緊急事態発生時の動作と緊急事態完了後の復帰に分けて図３と図４を用いて説明する。
【００３８】
通常時、フロート９の内部に空気を充填し、電動弁１８と手動弁２６を閉状態にしておく。
【００３９】
この場合、中空フロート９は、その比重が水より軽いので上方に浮上し、これと連動して弁蓋５は流出管２の流出口から離れていき、水槽の貯水は流出管２に沿って流出する。
【００４０】
地震等の緊急事態が発生した場合、図示しない地震センサーまたは流量センサーが設定値以上の値を感知すると、制御盤１９から電動弁１８へ開の指令を送り電動弁１８を開ける。
【００４１】
この場合、水槽の貯水が配管１７、ホース１２、水排出管１０を経由して中空フロート９の内部に流入し、フロート９はその内部に水で充満すれば、比重が水より重くなるので、下方に沈みこれと連動して弁蓋は流出管２の流出口を塞いで水槽の貯水が確保される。
【００４２】
図４に流出管２が遮断された状態の中空フロート９と弁蓋５の位置を示す。
【００４３】
次に緊急事態が終了し通水したい場合のフロート式緊急遮水システムの復帰について説明する。
【００４４】
まず、流出管２の仕切弁２２と御弁１８を閉め、手動弁２６を開く。
【００４５】
中空フロート９内部の水が水排出管１０、ホース１２、配管１７、手動弁２６を経由して外部空間に排出される。
【００４６】
中空フロート９は、内部が空気になれば比重が水より軽いので上方に浮上し、これと連動して弁蓋５は流出管から離れていき、通常の通水が可能となる。
【００４７】
手動弁２６を閉じれば、復帰作業は完了となる。
【図面の簡単な説明】
【００４８】
【図１】本考案の実施例１の概略図（流出管未遮断状態）
【図２】本発明の実施例１の概略図（流出管遮断状態）
【図３】本考案の実施例２の概略図（流出管未遮断状態）
【図４】本発明の実施例２の概略図（流出管遮断状態）
【図５】従来技術の実施形態の概要図
【符号の説明】
【００４９】
１      水槽本体
２      流出管
３      流出管の連結用フランジ
４      遮断弁の連結用フランジ
５      弁蓋
６      回転可能のジョイント
７      連結バー
８      ストッパー
９      中空フロート
１０    水排出口
１１    空気排出口
１２    水排出口の端部ホース
１３    空気排出口の端部ホース
１４    継ぎ手を格納する固定用プレート
１５    中空フロートの降下制限プレート
１６    配管
１７    配管
１８    電動弁
１９    フロート式緊急遮水システムの小型制御盤
２０    従来技術の緊急遮断弁
２１    補修弁
２２    仕切弁
２３    バイパス管
２４    従来技術の制御盤
２５    弁室
２６    手動弁
【手続補正３】
【補正対象書類名】図面
【補正対象項目名】全図
【補正方法】変更
【補正の内容】
【図１】
0003127723.tif 000006
【図２】
0003127723.tif 000007
【図３】
0003127723.tif 000008
【図４】
0003127723.tif 000009
【図５】
0003127723.tif 000010